(57)【要約】【課題】送信装置からの光信号の漏れを抑制することができる送信装置、伝送システム、及び受信装置を提供する。【解決手段】送信装置４は、受信装置５との間で、信号線３１を介した電気信号の伝送と光ファイバ３２を介した光信号の伝送とを行う。送信装置４は、光源部４３と、第１出力制御部４１と、第２出力制御部４２と、を備える。光源部４３は、光信号を送信する。第１出力制御部４１及び第２出力制御部４２は、電気信号を検知し、検知結果に基づいて光信号の出力のオン／オフを制御する。【選択図】図１
2019146135.tif 000002
【特許請求の範囲】
【請求項１】
受信装置との間で、信号線を介した電気信号の伝送と光ファイバを介した光信号の伝送とを行う送信装置であって、
前記光信号を送信する光源部と、
前記電気信号を検知し、検知結果に基づいて前記光信号の出力のオン／オフを制御する出力制御部と、を備える
送信装置。
【請求項２】
前記出力制御部は、前記電気信号を検知することにより、前記送信装置と前記受信装置との接続を検知し、前記送信装置と前記受信装置とが未接続状態である場合、前記光信号の出力をオフする
請求項１に記載の送信装置。
【請求項３】
前記出力制御部は、ソフトウェア処理を介さないで前記光信号の出力のオン／オフを制御する
請求項１又は２に記載の送信装置。
【請求項４】
前記出力制御部を複数備える
請求項１〜３のいずれか１項に記載の送信装置。
【請求項５】
前記複数の出力制御部のうち少なくとも１つの出力制御部は、前記光源部に供給される電力を制御することにより、前記光信号の出力のオン／オフを制御する
請求項４に記載の送信装置。
【請求項６】
前記複数の出力制御部のうち少なくとも１つの出力制御部は、前記光源部を制御することにより、前記光信号の出力のオン／オフを制御する
請求項４又は５に記載の送信装置。
【請求項７】
前記電気信号は、ＨＤＭＩ（登録商標）に準拠した信号である
請求項１〜６のいずれか１項に記載の送信装置。
【請求項８】
請求項１〜７のいずれか１項に記載の送信装置と、
前記送信装置と接続される前記受信装置と、を備える
伝送システム。
【請求項９】
請求項１〜７のいずれか１項に記載の送信装置と接続される受信装置。
【発明の詳細な説明】
【技術分野】
【０００１】
本開示は、一般に送信装置、伝送システム、及び受信装置に関し、より詳細には電気信号と光信号の伝送を行う送信装置、伝送システム、及び受信装置に関する。
【背景技術】
【０００２】
従来、パーソナルコンピュータなどのホスト機器（送信装置）と、デジタルカメラなどの周辺機器とを、ケーブル及びコネクタで接続するシステム（伝送システム）が知られている（例えば、特許文献１参照）。
【０００３】
特許文献１に記載のコネクタでは、プラグがＵＳＢ規格に準拠している。
【先行技術文献】
【特許文献】
【０００４】
【特許文献１】特開２００７−５９３５１号公報
【発明の概要】
【発明が解決しようとする課題】
【０００５】
送信装置、伝送システム、及び受信装置において、伝送容量を大容量化するために光信号を用いる場合がある。この場合、送信装置からの光信号の漏れを抑制することが要求されることがある。
【０００６】
本開示は、上記事由に鑑みてなされており、その目的は、送信装置からの光信号の漏れを抑制することができる送信装置、伝送システム、及び受信装置を提供することにある。
【課題を解決するための手段】
【０００７】
本開示の一態様に係る送信装置は、受信装置との間で、信号線を介した電気信号の伝送と光ファイバを介した光信号の伝送とを行う。前記送信装置は、光源部と、出力制御部と、を備える。前記光源部は、前記光信号を送信する。前記出力制御部は、前記電気信号を検知し、検知結果に基づいて前記光信号の出力のオン／オフを制御する。
【０００８】
本開示の一態様に係る伝送システムは、前記送信装置と、前記送信装置と接続される前記受信装置と、を備える。
【０００９】
本開示の一態様に係る受信装置は、前記送信装置と接続される。
【発明の効果】
【００１０】
本開示の送信装置、伝送システム、及び受信装置では、送信装置からの光信号の漏れを抑制することができるという効果がある。
【図面の簡単な説明】
【００１１】
【図１】図１は、本開示の一実施形態に係る伝送システムの概要を示すブロック図である。
【図２】図２は、同上の伝送システムのブロック図である。
【図３】図３Ａは、同上の伝送システムにおける送信装置及び受信装置が備えるレセプタクルの正面図である。図３Ｂは、同上のレセプタクルの正面側から見た斜視図である。図３Ｃは、同上のレセプタクルの背面側から見た斜視図である。
【図４】図４は、同上のレセプタクルの分解斜視図である。
【図５】図５Ａは、同上の伝送システムにおける伝送ケーブルが備えるプラグの正面図である。図５Ｂは、同上のプラグの上側から見た斜視図である。図５Ｃは、同上のプラグの下側から見た斜視図である。
【図６】図６Ａは、同上のレセプタクルと同上のプラグとが接続された状態の斜視図である。図６Ｂは、同上のレセプタクルと同上のプラグとが接続された状態の横断面図である。
【図７】図７は、同上のレセプタクルと同上のプラグとが接続された状態を示し、図３ＡのＹ−Ｙ線縦断面図である。
【図８】図８Ａは、同上のレセプタクルと同上のプラグとが接続された状態の他の縦断面図である。図８Ｂは、同上のレセプタクルと同上のプラグとが接続された状態の別の縦断面図である。
【図９】図９は、同上の送信装置の第１変形例が備えるレセプタクルの縦断面図である。
【発明を実施するための形態】
【００１２】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１３】
（１）概要
図１、２に本実施形態の伝送システム６のブロック図を示す。本実施形態の伝送システム６は、送信装置４と、受信装置５と、伝送ケーブル３と、を備えている。本実施形態の伝送システム６では、伝送ケーブル３を介して、送信装置４から受信装置５へ映像及び音声等のデータを伝送することができる。なお、送信装置４から受信装置５へ伝送するデータは、映像及び音声に限らず、他のデータも伝送可能である。
【００１４】
送信装置４は、映像及び音声の再生が可能な再生装置である。送信装置４は、例えば、ハードディスク、ブルーレイディスク（登録商標）等の記憶デバイスに記憶された映像及び音声の再生が可能なレコーダー、プレイヤー等である。
【００１５】
受信装置５は、伝送ケーブル３を介して送信装置４と接続される。受信装置５は、受信した映像データを表示可能な表示装置である。受信装置５は、例えば、液晶ディスプレイ、有機ＥＬディスプレイ（EL:Electro Luminescence）、プロジェクタ等である。また、受信装置５は、スピーカーを備えている場合、受信した音声データをスピーカーから出力可能である。
【００１６】
伝送ケーブル３は、送信装置４と受信装置５とを接続するケーブルである。ここでいう「送信装置４と受信装置５とを接続」とは、送信装置４と受信装置５との間で信号の伝送が可能な状態をいう。本実施形態の伝送システム６では、送信装置４と受信装置５との間で、伝送ケーブル３を介して電気信号の伝送と光信号の伝送とが可能である。伝送ケーブル３は、信号線３１と、光ファイバ３２と、を備えている。電気信号の伝送は、信号線３１を介して行われる。光信号の伝送は、光ファイバ３２を介して行われる。送信装置４から受信装置５へのデータ送信は、電気信号と光信号との両方を用いて行われてもよいし、データ内容に応じて電気信号と光信号とのいずれか一方の信号に切り替えて行われてもよい。
【００１７】
送信装置４は、光信号の出力のオン／オフを制御する出力制御部（第１出力制御部４１、第２出力制御部４２）を備えている。光信号の出力のオンとは、送信装置４から光信号が出力される状態である。光信号の出力がオンである場合、受信装置５は、光ファイバ３２を介して送信装置４からの光信号を受信することができる。光信号の出力のオフとは、送信装置４から光信号が出力されない状態、あるいは送信装置４から出力される光信号の光量が所定値以下の状態である。光量が所定値以下の状態とは、光信号の出力レベルが十分に小さく、例えば人体への影響がほとんどなく、規格等で定められたレベルより小さい状態である。光信号の出力がオフである場合、受信装置５は、送信装置４からの光信号を受信することができない。
【００１８】
第１出力制御部４１及び第２出力制御部４２は、電気信号を検知することにより、送信装置４と受信装置５との接続状態を検知するように構成されている。第１出力制御部４１及び第２出力制御部４２は、検知結果に基づいて光信号の出力のオン／オフを制御する。第１出力制御部４１及び第２出力制御部４２の両方が、送信装置４と受信装置５とが接続されていることを検知した場合、送信装置４から光信号が出力される。一方、第１出力制御部４１及び第２出力制御部４２の少なくとも一方が、送信装置４と受信装置５とが未接続であることを検知した場合、送信装置４から光信号が出力されない。
【００１９】
これにより、送信装置４と受信装置５とが接続されていない場合に、送信装置４からの光信号の漏れが抑制される。
【００２０】
（２）構成
以下に、伝送システム６の詳細な構成について説明する。
【００２１】
（２．１）接続構成
送信装置４と受信装置５とは、伝送ケーブル３を介して接続される。伝送ケーブル３は、複数（ここでは１９本）の信号線３１と、複数（ここでは４本）の光ファイバ３２と、２つのプラグ２とを備えている。複数の信号線３１と複数の光ファイバ３２とは、被覆部材３０（図５Ｂ及び５Ｃ参照）により束ねられている。２つのプラグ２は、複数の信号線３１及び複数の光ファイバ３２の両端に設けられている。プラグ２は、送信装置４及び受信装置５のそれぞれに設けられたレセプタクル１と、電気的、光学的、かつ機械的に接続可能である。送信装置４のレセプタクル１と、受信装置５のレセプタクル１とを区別する場合、送信装置４のレセプタクル１をレセプタクル１Ａ、受信装置５のレセプタクル１をレセプタクル１Ｂという。
【００２２】
レセプタクル１及びプラグ２は、ＨＤＭＩ（登録商標）（HDMI:High Definition Multimedia Interface）規格を満たすように構成されている。ここにおいて、レセプタクル１が電気信号の伝送用の電気接続端子１３を備え、プラグ２が電気信号の伝送用の電気接触子２３を備えている。したがって、レセプタクル１、及びプラグ２は、ＨＤＭＩ（登録商標）規格に準拠した電気信号の伝送路を接続することができる。言い換えれば、電気信号は、ＨＤＭＩ（登録商標）規格に準拠した信号である。
【００２３】
また、レセプタクル１が光伝送用の光接続端子１４を備え、プラグ２が光伝送用の光接続端子２４を備えている。したがって、レセプタクル１、及びプラグ２は、電気信号の伝送路を接続するだけでなく光信号の伝送路も接続することができる。
【００２４】
（２．１．１）レセプタクル
レセプタクル１は、プラグ２（図５Ａ〜８Ｂ参照）のプラグハウジング２０の差込口１８を有し、プラグ２のプラグハウジング２０が差し込まれる空間１７を有する。
【００２５】
レセプタクル１は、図３Ａ〜４、６Ａ〜８Ｂに示すように、レセプタクルハウジング１０と、複数（ここでは、１９個）の電気接続端子１３と、複数（ここでは、４個）の光接続端子１４と、位置決め構造１５と、を備える。レセプタクルハウジング１０は、プラグ２のプラグハウジング２０を差込可能である。複数の電気接続端子１３及び複数の光接続端子１４は、レセプタクルハウジング１０に保持されている。
【００２６】
レセプタクルハウジング１０は、レセプタクルボディ１１と、レセプタクルシェル１２と、を備える。レセプタクルボディ１１は、複数の電気接続端子１３及び複数の光接続端子１４を保持している。レセプタクルシェル１２は、レセプタクルボディ１１を囲む筒体部１２０を有する。筒体部１２０は、レセプタクルボディ１１とともに、プラグ２のプラグハウジング２０が差し込まれる空間１７を形成する。レセプタクル１では、プラグ２の差込方向Ｉ１における筒体部１２０の第１端１２０ａの開口と第２端１２０ｂの開口とのうち、第２端１２０ｂの開口がレセプタクルボディ１１の基部１１１により塞がれており、第１端１２０ａの開口が、プラグ２の差込口１８となっている。
【００２７】
レセプタクルボディ１１は、合成樹脂により形成されており、電気絶縁性を有する。レセプタクルボディ１１は、樹脂成形品である。
【００２８】
レセプタクルボディ１１は、筒体部１２０に結合される基部１１１と、基部１１１からプラグ２の差込方向Ｉ１とは逆方向へ突出した偏平な端子台部１１２と、を有する。以下では、プラグ２の差込方向Ｉ１に直交する面内において端子台部１１２の厚さ方向に沿った方向を第１方向Ｄ１とし、プラグ２の差込方向Ｉ１に直交する面内において第１方向Ｄ１に直交する方向を第２方向Ｄ２として説明する。
【００２９】
端子台部１１２は、筒体部１２０の内側に配置され、第１方向Ｄ１及び第２方向Ｄ２のいずれの方向においても筒体部１２０から離れている（図３Ａ参照）。端子台部１１２は、第１方向Ｄ１において互いに反対側にある第１面１１３及び第２面１１４を有する。
【００３０】
複数の電気接続端子１３は、レセプタクルボディ１１に保持されている。複数の電気接続端子１３は、プラグ２（図５Ａ〜８Ｂ参照）の複数の電気接触子２３が一対一に接続される。複数の電気接続端子１３の各々は、導電性を有する。複数の電気接続端子１３の各々は、帯状の金属板により形成されている。複数の電気接続端子１３には、ＨＤＭＩ規格で定められた、電源端子Ｐ１、ホットプラグ検出端子Ｐ２、ＴＭＤＳ（Transition Minimized Differential Signaling）のＣＬＫ（＋）端子Ｐ３、ＣＬＫ（−）端子Ｐ４が含まれている（図２参照）。また、複数の電気接続端子１３には、上記端子以外に、ＨＤＭＩ規格で定められた、ＴＭＤＳのデータ０／１／２に対応した端子、ＳＣＬ端子、ＳＤＡ端子、ＣＥＣ端子等が含まれている。
【００３１】
複数（１９個）の電気接続端子１３は、端子台部１１２の第１面１１３側で第２方向Ｄ２において一定間隔で並んで配置された１０個の第１電気接続端子１３ａと、第２面１１４側で第２方向Ｄ２において一点間隔で並んで配置された９個の第２電気接続端子１３ｂと、を有する。複数の電気接続端子１３は、第１方向Ｄ１において重ならないように配置されている。複数の電気接続端子１３は、第１方向Ｄ１から見れば、複数の第１電気接続端子１３ａと複数の第２電気接続端子１３ｂとが交互に並んでいる。
【００３２】
複数の電気接続端子１３の各々は、接触部１３１と、埋込部１３３と、脚部１３４と、端子部１３２と、を有する。
【００３３】
接触部１３１は、その厚さ方向が第１方向Ｄ１と揃うように、第１方向Ｄ１においてレセプタクルボディ１１の端子台部１１２に重なって配置されている。接触部１３１は、第２方向Ｄ２から見て直線状である。
【００３４】
埋込部１３３は、一端が接触部１３１に繋がりレセプタクルボディ１１の基部１１１に埋め込まれている。脚部１３４は、長手方向が第１方向Ｄ１と揃うように基部１１１における差込口１８とは反対側に配置されており、第１方向Ｄ１において第１側壁１２１側の一端が埋込部１３３の他端に繋がっている。端子部１３２は、脚部１３４の他端から基部１１１とは反対側へ突出している。各端子部１３２は、例えば、レセプタクル１をプリント配線板等の回路基板に取り付けて使用する場合等に、回路基板の導体に対してはんだ等により接合されることによって電気的に接続される。
【００３５】
複数の接触部１３１では、プラグ２が差し込まれたときにプラグ２の複数の電気接触子２３のうち一対一に対応する電気接触子２３（第１方向Ｄ１において重なる電気接触子２３）と接触することによって電気的に接続される。
【００３６】
レセプタクルシェル１２は、導電性を有する。レセプタクルシェル１２は、例えば、金属により形成されている。筒体部１２０は、第１側壁１２１と、第２側壁１２２と、第３側壁１２３と、第４側壁１２４と、を有する。
【００３７】
第１側壁１２１は、第１方向Ｄ１において端子台部１１２の第１面１１３に対向する。第２側壁１２２は、第１方向Ｄ１において端子台部１１２の第２面１１４に対向する。第３側壁１２３は、第１側壁１２１と第２側壁１２２との第２方向Ｄ２の一端同士（図３Ａでは左端同士）を繋いでいる。第４側壁１２４は、第１側壁１２１と第２側壁１２２との第２方向Ｄ２の他端同士（図３Ａでは右端同士）を繋いでいる。第２方向Ｄ２における第３側壁１２３と第４側壁１２４との距離は、第１方向Ｄ１の第１側壁１２１側では略同じであるが、第１方向Ｄ１の第２側壁１２２側において、第２側壁１２２に近づくにつれて徐々に短くなっている。差込方向Ｉ１において第２側壁１２２の長さは、第１側壁１２１の長さよりも短い（図７参照）。筒体部１２０の第２端１２０ｂにおいて、第３側壁１２３及び第４側壁１２４それぞれには、レセプタクルシェル１２にレセプタクルボディ１１を固定する爪１２３１、１２４１が、互いに近づく向きに突出している。
【００３８】
第１側壁１２１には、２つの板ばね１２８（以下、第１板ばね１２８という）が第２方向Ｄ２に並んで形成されている。２つの第１板ばね１２８の各々は、差込方向Ｉ１とは反対の先端に形成された引っ掛かり部１６（以下、第１引っ掛かり部１６ともいう）を有する。２つの第１引っ掛かり部１６の各々は、第２方向Ｄ２から見て、端子台部１１２の第１面１１３側に突出するＵ字状の形状に形成されている。２つの第１引っ掛かり部１６は、プラグ２の２つの保持穴２６（図５Ｂ、８Ａ及び８Ｂ参照）に一対一に対応する位置に形成されており、レセプタクル１にプラグ２が差し込まれたときに、プラグ２の保持穴２６に引っ掛かる。
【００３９】
第２側壁１２２には、２つの板ばね１２９（以下、第２板ばね１２９という）が第２方向Ｄ２に並んで形成されている。２つの第２板ばね１２９の各々は、差込方向Ｉ１とは反対の先端に形成された引っ掛かり部１６ａ（以下、第２引っ掛かり部１６ａともいう）を有する。２つの第２引っ掛かり部１６ａの各々は、第２方向Ｄ２から見て、端子台部１１２の第２面１１４側に突出するＵ字状の形状に形成されている。２つの第２引っ掛かり部１６ａは、プラグ２とはレセプタクル１に対する差込長さが異なる従来のプラグの２つの保持穴に一対一に対応する位置に形成されており、レセプタクル１に従来のプラグが差し込まれたときに、従来のプラグの保持穴に引っ掛かる。ところで、ＨＤＭＩ（登録商標）規格においては、ＨＤＭＩ（登録商標）ケーブルやＨＤＭＩ（登録商標）コネクタの仕様が定められており、適用される規格のバージョンが異なっても、例えばタイプＡのコネクタの形状等は変わらないため、古いＡＶ機器と新しいＡＶ機器との間でもＨＤＭＩ（登録商標）ケーブルによって接続が可能である等の互換性が要求される。上述の従来のプラグは、ＨＤＭＩ（登録商標）規格を満たしかつ光接続端子２４を備えていないプラグである。従来のプラグは、例えば、「HDMI Specification Ver.1.4a」の規格を満たすように構成されており、プラグ２と互換性を有する。本実施形態のレセプタクル１は、プラグ２、従来のプラグのいずれとも接続可能である。
【００４０】
レセプタクルシェル１２は、第３側壁１２３及び第４側壁１２４の各々の第２側壁１２２側から第１方向Ｄ１に沿って突出した２つ（計４つ）の脚片１２５、１２６と、筒体部１２０の第１端１２０ａにおいて第１側壁１２１から第１方向Ｄ１に沿って突出したブラケット１２７と、を有する。各脚片１２５及び各脚片１２６は、例えば、レセプタクル１をプリント配線板等の回路基板に取り付けて使用する場合等に、回路基板の取付孔に挿通されて回路基板のグランド導体に対してはんだ等により接合されることによって電気的に接続される。
【００４１】
光接続端子１４は、光伝送用である。光接続端子１４は、レセプタクルハウジング１０に保持され、プラグ２の差込方向Ｉ１においてプラグ２に対向する。ここにおいて、光接続端子１４は、プラグ２に対向する端面１４０（図６Ｂ参照）が露出している。
【００４２】
光接続端子１４は、光ファイバ１４１と、レンズ１４２と、を有する。
【００４３】
光ファイバ１４１は、例えば、ＧＯＦ（Glass Optical Fiber）である。光ファイバ１４１の直径（外径）は、例えば、０．１２５ｍｍ程度である。
【００４４】
レンズ１４２は、例えば、非球面レンズである。レンズ１４２は、光ファイバ１４１の光軸方向における差込口１８側の端面に対向するように配置されている。レンズ１４２は、光ファイバ１４１の端面に対向する第１レンズ面とは反対の第２レンズ面が露出している。つまり、光接続端子１４では、レンズ１４２の第２レンズ面が、プラグ２に対向する端面１４０を構成している。
【００４５】
レセプタクル１は、光ファイバ１４１を被覆している補強パイプ１５１を更に備えている。補強パイプ１５１は、フェルールである。補強パイプ１５１の材料は、例えば、ジルコニアである。補強パイプ１５１の直径（外径）は、例えば、０．６ｍｍ程度である。レセプタクル１では、補強パイプ１５１を備えることにより、レセプタクルボディ１１への光ファイバ１４１の組み付け時に光ファイバ１４１が破損する可能性を低減可能となる。
【００４６】
位置決め構造１５は、レセプタクルハウジング１０の一部からなり、差込方向Ｉ１に直交する平面内におけるプラグ２に対するレセプタクルハウジング１０の相対的な位置決めを行う。これにより、レセプタクル１では、レセプタクル１の光接続端子１４とプラグ２の光接続端子２４との相対的な位置精度を高めることが可能となる。よって、レセプタクル１では、伝送容量をより大きくすることが可能となる。差込方向Ｉ１に直交する面内におけるレセプタクル１の筒体部１２０の寸法公差及びプラグ２の差込部２７の寸法公差は、例えば、ＨＤＭＩ（登録商標）規格を満たすように決定してある。言い換えれば、ＨＤＭＩ（登録商標）規格では、レセプタクル１にプラグ２を差し込んで電気接続端子１３と電気接触子２３との電気的な接続を確保できればよいので、レセプタクル１にプラグ２を差し込んだ状態で第１方向Ｄ１及び第２方向Ｄ２の各々にがたつきが生じやすい。これに対し、位置決め構造１５は、光接続端子１４と光接続端子２４との光軸合わせの精度を高めるために、差込方向Ｉ１に直交する面内における寸法公差を筒体部１２０及び差込部２７それぞれの寸法公差よりも小さく決定してある。
【００４７】
位置決め構造１５は、差込方向Ｉ１におけるレセプタクルハウジング１０のプラグハウジング２０との突き合わせ面１００に形成された凹凸形状からなる。レセプタクル１では、位置決め構造１５は、差込方向Ｉ１に直交する平面内において互いに直交する第１方向Ｄ１及び第２方向Ｄ２の両方において位置決めを行うように構成されている。レセプタクル１では、位置決め構造１５が凹部１５０である。凹部１５０の深さＬ１（図７参照）は、例えば、１ｍｍ程度である。凹部１５０の深さＬ１１は、プラグ２の凸部２５０の突出長さＬ１２（図５Ｂ及び５Ｃ参照）と同じである。
【００４８】
レセプタクルハウジング１０のプラグハウジング２０との突き合わせ面１００は、第１突き合わせ面１０１と、第２突き合わせ面１０２と、第３突き合わせ面１０３と、を含む。第１突き合わせ面１０１は、基部１１１の差込口１８側の面のうち筒体部１２０の第２側壁１２２と第３側壁１２３との境界付近と、第２側壁１２２と第４側壁１２４との境界付近と、にある。第２突き合わせ面１０２は、基部１１１の差込口１８側の面のうち筒体部１２０の第１側壁１２１と第３側壁１２３との境界付近と、第１側壁１２１と第４側壁１２４との境界付近と、にある。第２突き合わせ面１０２には、光接続端子１４が設けられている。ここにおいて、光接続端子１４の端面１４０（図６Ｂ参照）は、第２突き合わせ面１０２を基準として、差込口１８とは反対側に位置している。第３突き合わせ面１０３は、凹部１５０の底面である。
【００４９】
レセプタクル１は、位置決め構造１５を複数（ここでは、２つ）備える。つまり、レセプタクル１は、複数（ここでは、２つ）の凹部１５０を備える。レセプタクル１では、複数の位置決め構造１５が、レセプタクルハウジング１０に含まれるレセプタクルボディ１１にある。差込方向Ｉ１から見て、複数の凹部１５０のうちの１つの凹部１５０（図３Ａにおける上側の凹部１５０）は、筒体部１２０の第１側壁１２１と２つの第１突き合わせ面１０１と端子台部１１２とで囲まれている。他の１つの凹部１５０（図３Ａにおける下側の凹部１５０）は、筒体部１２０の第２側壁１２２、第３側壁１２３及び第４側壁１２４と端子台部１１２と２つの第２突き合わせ面１０２と２つの第１突き合わせ面１０１とで囲まれている。差込口１８と第１突き合わせ面１０１との距離をＬ１、差込口１８と第２突き合わせ面１０２との距離をＬ２、差込口１８と第３突き合わせ面１０３との距離をＬ３とすると、レセプタクル１では、Ｌ１＝Ｌ２＞Ｌ３となっている。レセプタクル１では、差込方向Ｉ１において、レセプタクルハウジング１０におけるプラグ２の差込口１８、第１突き合わせ面１０１と第２突き合わせ面１０２、第３突き合わせ面１０３が、この順に並んでいる。ここでいう「この順に並んでいる」とは、差込方向Ｉ１に平行な一直線上にあることは必須ではなく、この順になっていればよいことを意味する。
【００５０】
光接続端子２４を備えるプラグ２は、光接続端子２４を備えていない従来のプラグとは、レセプタクル１の位置決め構造１５に対応する位置決め構造２５を備える点で相違する。より詳細には、プラグ２は、光接続端子２４と、レセプタクル１の凹部１５０に嵌合する凸部２５０と、を有する点で従来のプラグと相違する。
【００５１】
プラグ２は、プラグハウジング２０と、複数（ここでは、１９個）の電気接触子２３と、複数（ここでは、４個）の光接続端子２４と、位置決め構造２５と、を備える。
【００５２】
プラグハウジング２０は、レセプタクル１のレセプタクルハウジング１０に差込可能である。複数の電気接触子２３及び複数の光接続端子２４は、プラグハウジング２０に保持されている。
【００５３】
プラグハウジング２０は、プラグボディ２１と、プラグシェル２２と、を備える。プラグボディ２１は、複数の電気接触子２３及び複数の光接続端子２４を保持している。プラグシェル２２は、プラグボディ２１を囲む筒体部２２０を有する。筒体部２２０は、プラグボディ２１において直方体状の本体部２１１から差込方向Ｉ１に突出している突出部２１２とともに、レセプタクル１の空間１７に差し込む差込部２７を形成する。突出部２１２は、差込方向Ｉ１に直交する面内において互いに直交する第１方向Ｄ１及び第２方向Ｄ２それぞれの寸法が、本体部２１１の第１方向Ｄ１及び第２方向Ｄ２それぞれの寸法よりも小さい。差込方向Ｉ１に直交する面内における差込部２７の外周形状は、レセプタクル１の差込口１８の開口形状と略同じである。
【００５４】
プラグボディ２１は、合成樹脂により形成されており、電気絶縁性を有する。プラグボディ２１の差込部２７には、差込部２７をレセプタクル１に差し込んだときにレセプタクル１の端子台部１１２及び複数の接触部１３１が入る凹所２８が形成されている。
【００５５】
突出部２１２は、第１方向Ｄ１において凹所２８の内部空間を挟んで互いに対向する第１面２８１及び第２面２８２を有する。
【００５６】
複数（１９個）の電気接触子２３は、レセプタクル１の複数の電気接続端子１３と一対一に接続される。複数（１９個）の電気接触子２３は、第１方向Ｄ１の第１面２８１側で第２方向Ｄ２において一定間隔で並んで配置された１０個の第１電気接触子２３ａと、第２面２８２側で第２方向Ｄ２において一点間隔で並んで配置された９個の第２電気接触子２３ｂと、を有する。複数の電気接触子２３は、第１方向Ｄ１において重ならないように配置されている。複数の電気接触子２３は、第１方向Ｄ１から見れば、複数の第１電気接触子２３ａと複数の第２電気接触子２３ｂとが交互に並んでいる。複数の電気接触子２３の各々は、導電性を有する。複数の電気接触子２３の各々は、帯状の金属板により形成されている。第１電気接触子２３ａは、レセプタクル１側の一端に、第１方向Ｄ１において第２面２８２側へ突出しており対応する第１電気接続端子１３ａに接触して弾性変形可能な接触片２３１ａ（図８Ｂ参照）を有する。第２電気接触子２３ｂは、レセプタクル１側の一端に、第１方向Ｄ１において第１面２８１側へ突出しており対応する第２電気接続端子１３ｂに接触して弾性変形可能な接触片２３１ｂ（図８Ａ参照）を有する。
【００５７】
プラグシェル２２は、導電性を有する。プラグシェル２２は、例えば、金属により形成されている。筒体部２２０は、第１側壁２２１と、第２側壁２２２と、第３側壁２２３と、第４側壁２２４と、を有する。
【００５８】
第１側壁２２１は、第１方向Ｄ１において第１面２８１の第２面２８２とは反対側にある。第２側壁２２２は、第１方向Ｄ１において第２面２８２の第１面２８１とは反対側にある。第３側壁１２３は、第１側壁２２１と第２側壁２２２との第２方向Ｄ２の一端同士（図５Ａでは右端同士）を繋いでいる。第４側壁２２４は、第１側壁２２１と第２側壁２２２との第２方向Ｄ２の他端同士（図５Ａでは左端同士）を繋いでいる。第２方向Ｄ２における第３側壁２２３と第４側壁２２４との距離は、第１方向Ｄ１の第１側壁２２１側では略同じであるが、第１方向Ｄ１の第２側壁２２２側において、第２側壁２２２に近づくにつれて徐々に短くなっている。
【００５９】
第１側壁２２１には、レセプタクル１の２つの第１引っ掛かり部１６の各々が引っ掛かる２つの保持穴２６が形成されている。第２側壁２２２には、２つの保持穴２６ｂが形成されている。２つの保持穴２６ｂは、光接続端子１４を備えていない従来のレセプタクルのレセプタクルハウジングの筒体部に形成された板ばねの２つの引っ掛かり部の各々が引っ掛かる。従来のレセプタクルは、ＨＤＭＩ（登録商標）規格を満たしかつ光接続端子１４を備えていないレセプタクルである。従来のレセプタクルは、例えば、「HDMI Specification Ver.1.4a」の規格を満たすように構成されており、レセプタクル１と互換性を有する。本実施形態のプラグ２は、レセプタクル１、従来のレセプタクルのいずれとも接続可能である。つまり、プラグ２は、従来のレセプタクルと接続可能である。従来のレセプタクルは、従来のプラグとも接続可能である。
【００６０】
光接続端子２４は、光伝送用である。光接続端子２４は、プラグハウジング２０に保持され、レセプタクル１への差込方向Ｉ１においてレセプタクル１に対向する。ここにおいて、光接続端子２４は、レセプタクル１に対向する端面２４０（図６Ｂ参照）が露出している。
【００６１】
光接続端子２４は、光ファイバ２４１と、レンズ２４２と、を有する。
【００６２】
光ファイバ２４１は、例えば、ＰＯＦ（Plastic Optical Fiber）である。光ファイバ２４１の直径（外径）は、例えば、０．１２５ｍｍ程度である。
【００６３】
レンズ２４２は、例えば、非球面レンズである。レンズ２４２は、光ファイバ２４１の端面に対向するように配置されている。レンズ２４２は、光ファイバ２４１の端面に対向する第１レンズ面とは反対の第２レンズ面が露出している。つまり、光接続端子２４では、レンズ２４２の第２レンズ面が、レセプタクル１に対向する端面２４０を構成している。
【００６４】
（２．１．２）プラグ
プラグ２は、光ファイバ２４１を被覆している補強パイプ２５１を更に備えている。補強パイプ２５１は、フェルールである。補強パイプ２５１の材料は、例えば、ジルコニアである。補強パイプ２５１の直径（外径）は、例えば、０．６ｍｍ程度である。プラグ２では、補強パイプ２５１を備えることにより、プラグハウジング２０への光ファイバ２４１の組み付け時に光ファイバ２４１が破損する可能性を低減可能となる。
【００６５】
光接続端子２４を備えるプラグ２は、光接続端子２４を備えていない従来のプラグとは、レセプタクル１の位置決め構造１５に対応する位置決め構造２５を備える点で相違する。より詳細には、プラグ２は、光接続端子２４と、レセプタクル１の凹部１５０に嵌合する凸部２５０と、を有する点で従来のプラグと相違する。
【００６６】
位置決め構造２５は、プラグハウジング２０の一部からなり、差込方向Ｉ１に直交する平面内におけるレセプタクル１に対するプラグ２の相対的な位置決めを行う。上述のように、ＨＤＭＩ（登録商標）規格では、レセプタクル１にプラグ２を差し込んで電気接続端子１３と電気接触子２３との電気的な接続を確保できればよいので、レセプタクル１にプラグ２を差し込んだ状態で第１方向Ｄ１及び第２方向Ｄ２の各々にがたつきが生じやすい。これに対し、位置決め構造２５は、光接続端子１４と光接続端子２４との光軸合わせの精度を高めるために、差込方向Ｉ１に直交する面内における寸法公差を筒体部１２０及び差込部２７それぞれの寸法公差よりも小さく決定してある。
【００６７】
プラグ２では、位置決め構造２５は、差込方向Ｉ１におけるプラグハウジング２０のレセプタクルハウジング１０との突き合わせ面２００に形成された凹凸形状からなる。プラグ２では、位置決め構造２５は、差込方向Ｉ１に直交する平面内において互いに直交する第１方向Ｄ１及び第２方向Ｄ２の両方において位置決めを行うように構成されている。プラグ２では、位置決め構造２５が凸部２５０である。プラグ２の凸部２５０の突出長さＬ１２（図５Ｂ及び５Ｃ参照）は、１ｍｍ程度である。凸部２５０の突出長さＬ１２は、凹部１５０の深さＬ１（図７参照）と同じである。
【００６８】
プラグハウジング２０のレセプタクルハウジング１０との突き合わせ面２００は、第１突き合わせ面２０１と、第２突き合わせ面２０２と、第３突き合わせ面２０３と、を含む。第１突き合わせ面２０１は、プラグボディ２１において差込方向Ｉ１でレセプタクル１に対向する面のうち筒体部２２０の第２側壁２２２と第３側壁２２３との境界付近と、第２側壁２２２と第４側壁２２４との境界付近と、にある。第２突き合わせ面２０２は、プラグボディ２１において差込方向Ｉ１でレセプタクル１に対向する面のうち筒体部２２０の第１側壁２２１と第３側壁２２３との境界付近と、第１側壁２２１と第４側壁２２４との境界付近と、にある。第３突き合わせ面２０３は、凸部２５０の先端面である。
【００６９】
プラグ２は、位置決め構造２５を複数（ここでは、２つ）備える。つまり、プラグ２は、複数（ここでは、２つ）の凸部２５０を備える。プラグ２では、複数の位置決め構造２５が、プラグハウジング２０に含まれるプラグボディ２１にある。差込方向Ｉ１とは反対側から見て、複数の凸部２５０のうちの１つの凸部２５０（図５Ａにおける下側の凸部２５０）は、２つの第１突き合わせ面２０１の間にあり、他の１つの凸部２５０（図５Ａにおける上側の凸部２５０）は、２つの第２突き合わせ面２０２の間にある。プラグ２では、差込方向Ｉ１において、レセプタクル１に近い側から、第３突き合わせ面２０３、第１突き合わせ面２０１と第２突き合わせ面２０２、光接続端子２４が、この順に並んでいる（図７参照）。ここでいう「この順に並んでいる」とは、差込方向Ｉ１に平行な一直線上にあることは必須ではなく、この順になっていればよいことを意味する。
【００７０】
プラグ２は、レセプタクル１に着脱可能に差し込まれる。プラグ２をレセプタクル１に差し込むことにより、複数の電気接触子２３と複数の電気接続端子１３とが電気的に接続され、かつ、プラグ２の複数の光接続端子２４とレセプタクル１の複数の光接続端子１４とが光学的に接続される。ここにおいて、プラグ２の複数の光接続端子２４とレセプタクル１の複数の光接続端子１４とは一対一に対応している。レセプタクル１が位置決め構造１５を備え、かつ、プラグ２が位置決め構造２５を備えているので、差込方向Ｉ１において対向する光接続端子２４と光接続端子１４との光軸のずれを抑制することができる。これにより、伝送システム６において、伝送容量をより大きくできる。
【００７１】
（２．２）送信装置
図２に示すように、送信装置４は、上述したレセプタクル１（レセプタクル１Ａ）の他に、第１出力制御部４１と、第２出力制御部４２と、光源部４３と、電圧生成部４４と、差動信号送信部４５と、送信側電源部４６と、スイッチ部４７と、を備えている。
【００７２】
光源部４３は、発光部４３１と駆動部４３２とを備えており、光信号の信号媒体であるレーザー光を出力（送信）するように構成されている。発光部４３１は、例えば、レーザー光を出力するレーザーダイオードを備えている。レーザーダイオードとして、例えば、ＦＰ型レーザーダイオード（Fabry-Perot laserdiode）、ＤＦＢ型レーザーダイオード（Distributed Feed Back Laser diode）等がある。発光部４３１は、レセプタクル１Ａの光接続端子１４と光学的に接続されている。発光部４３１が出力したレーザー光は、光接続端子１４の光ファイバ１４１に入射される。なお、送信装置４は、レセプタクル１Ａの複数（ここでは４つ）の光接続端子１４と一対一に対応した複数（ここでは４つ）の発光部４３１を備えているが、図２では１つの発光部４３１のみを図示し、他の発光部４３１の記載を省略している。
【００７３】
駆動部４３２は、発光部４３１の発光を制御するように構成されている。駆動部４３２は、送信側電源部４６から供給される電力で発光部４３１を発光させる。駆動部４３２は、光信号で伝送するデータに応じたレーザー光が出力されるように発光部４３１の発光を制御する。なお、駆動部４３２は、送信装置４が備える複数の発光部４３１を一括的に制御するように構成されていてもよいし、複数の発光部４３１と一対一に対応し、１つの発光部４３１を制御するように構成されていてもよい。駆動部４３２が１つの発光部４３１を制御する場合、光源部４３は複数の駆動部４３２を備える。
【００７４】
電圧生成部４４は、所定の電圧（ここでは５Ｖ）を出力する定電圧回路である。電圧生成部４４の出力端は、レセプタクル１Ａが有する複数の電気接続端子１３のうち電源端子Ｐ１と電気的に接続されている。つまり、電圧生成部４４は、レセプタクル１Ａの電源端子Ｐ１に所定電圧を印加する。
【００７５】
差動信号送信部４５は、ＴＭＤＳ（Transition Minimized Differential Signaling）のクロック信号に対応した差動信号を出力するように構成されている。差動信号送信部４５は、オープンコレクタ出力であり、一対の出力端が、レセプタクル１Ａが有する複数の電気接続端子１３のうちＣＬＫ（＋）端子Ｐ３、ＣＬＫ（−）端子Ｐ４と電気的に接続されている。つまり、差動信号送信部４５は、ＣＬＫ（＋）端子Ｐ３及びＣＬＫ（−）端子Ｐ４を介して、クロック信号を送信する。
【００７６】
なお、図示は省略しているが、送信装置４は、ＴＭＤＳのデータ０／１／２それぞれのデータ信号に対応した差動信号を出力する複数（ここでは３つ）の差動信号送信部４５を備えている。
【００７７】
第１出力制御部４１は、レセプタクル１Ａが有する複数の電気接続端子１３のうちホットプラグ検出端子Ｐ２の電圧（電気信号）を検出し、検出結果に基づいてスイッチ部４７を制御するように構成されている。スイッチ部４７は、送信側電源部４６と光源部４３との間に電気的に設けられており、送信側電源部４６から光源部４３への電力供給をオン／オフする。つまり、第１出力制御部４１は、ホットプラグ検出端子の電圧（電気信号）の検出結果に基づいて、光源部４３に供給される電力を制御することにより、光信号の出力のオン／オフを制御する。
【００７８】
具体的には、第１出力制御部４１は、第１コンパレータ４１１を備えている。第１コンパレータ４１１の非反転入力端子は、レセプタクル１Ａのホットプラグ検出端子Ｐ２と電気的に接続されている。また、第１コンパレータ４１１の非反転入力端子は、抵抗Ｒ１１を介してグラウンドに電気的に接続されている。この抵抗Ｒ１１は、プルダウン抵抗として機能する。第１コンパレータ４１１の反転入力端子は、第１基準電圧生成部４１２と電気的に接続され、第１基準電圧が入力されている。第１基準電圧は、ホットプラグ検出端子Ｐ２の電圧と比較するための電圧閾値である。
【００７９】
第１コンパレータ４１１は、ホットプラグ検出端子Ｐ２の電圧（電気信号）を検出し、第１基準電圧と比較する。詳しくは後述するが、伝送ケーブル３を介して送信装置４と受信装置５とが接続されると閉回路が形成され、送信装置４におけるレセプタクル１Ａの電源端子Ｐ１とホットプラグ検出端子Ｐ２とが電気的に接続される。したがって、伝送ケーブル３を介して送信装置４と受信装置５とが接続されている場合、電圧生成部４４の出力電圧によってホットプラグ検出端子Ｐ２の電圧が第１基準電圧よりも高くなる。一方、送信装置４と受信装置５とが接続されていない場合、送信装置４におけるレセプタクル１Ａの電源端子Ｐ１とホットプラグ検出端子Ｐ２とが電気的に非接続となる。ホットプラグ検出端子Ｐ２は、抵抗Ｒ１１を介してグラウンドと電気的に接続されている。したがって、送信装置４と受信装置５とが接続されていない場合、ホットプラグ検出端子Ｐ２の電圧が第１基準電圧よりも低くなる。
【００８０】
第１コンパレータ４１１の出力端は、スイッチ部４７と電気的に接続されている。スイッチ部４７は、例えばｎチャネルＭＯＳＦＥＴ（Metal Oxide Semiconductor Field Effect Transistor）等のスイッチ素子を備えている。スイッチ素子は、送信側電源部４６と光源部４３との間に電気的に接続されており、送信側電源部４６から光源部４３への電力供給をオン／オフする。第１コンパレータ４１１の出力信号は、直接的に又は駆動回路を介して、スイッチ素子の制御端子に入力される。
【００８１】
したがって、送信装置４と受信装置５とが接続されている場合、第１コンパレータ４１１（第１出力制御部４１）の出力信号の信号レベルがHighレベルとなり、スイッチ部４７（スイッチ素子）がオン状態となる。この場合、スイッチ部４７を介して送信側電源部４６から光源部４３へ電力が供給される。一方、送信装置４と受信装置５とが接続されていない場合、第１コンパレータ４１１（第１出力制御部４１）の出力信号の信号レベルがLowレベルとなり、スイッチ部４７（スイッチ素子）がオフ状態となる。この場合、送信側電源部４６から光源部４３への電力供給が行われない。
【００８２】
第２出力制御部４２は、レセプタクル１ＡのＣＬＫ（＋）端子Ｐ３とＣＬＫ（−）端子Ｐ４との差電圧（電気信号）を検出し、検出結果に基づいて光源部４３の駆動部４３２の動作のオン／オフを制御するように構成されている。つまり、第２出力制御部４２は、ＣＬＫ（＋）端子Ｐ３とＣＬＫ（−）端子Ｐ４との差電圧（電気信号）の検出結果に基づいて、光源部４３を制御することにより、送信装置４からの光信号の出力のオン／オフを制御する。
【００８３】
具体的には、第２出力制御部４２は、２つの抵抗Ｒ１２，Ｒ１３と、第２コンパレータ４２１と、を備えている。抵抗Ｒ１２，Ｒ１３は、差動信号送信部４５の一対の出力端間（ＣＬＫ（＋）端子Ｐ３とＣＬＫ（−）端子Ｐ４との間）に電気的に直列接続されている。抵抗Ｒ１２，Ｒ１３の直列回路は、ＣＬＫ（＋）端子Ｐ３とＣＬＫ（−）端子Ｐ４との差電圧の検出部として機能する。第２コンパレータ４２１の非反転入力端子は、抵抗Ｒ１２と抵抗Ｒ１３との接続点と電気的に接続されている。第２コンパレータ４２１の反転入力端子は、第２基準電圧生成部４２２と電気的に接続され、第２基準電圧が入力されている。第２基準電圧は、ＣＬＫ（＋）端子Ｐ３とＣＬＫ（−）端子Ｐ４との差電圧と比較するための電圧閾値である。
【００８４】
第２コンパレータ４２１は、ＣＬＫ（＋）端子Ｐ３とＣＬＫ（−）端子Ｐ４との差電圧と、第２基準電圧とを比較する。詳しくは後述するが、受信装置５におけるレセプタクル１ＢのＣＬＫ（＋）端子Ｐ３及びＣＬＫ（−）端子Ｐ４は、それぞれ抵抗Ｒ２２及び抵抗Ｒ２３を介して受信側電源部５３と電気的に接続されている。抵抗Ｒ２２，Ｒ２３は、プルアップ抵抗として機能する。したがって、伝送ケーブル３を介して送信装置４と受信装置５とが接続されている場合、送信装置４におけるレセプタクル１ＡのＣＬＫ（＋）端子Ｐ３及びＣＬＫ（−）端子Ｐ４それぞれの電圧レベルが、HighレベルとLowレベルとを交互に繰り返すように変化する。これにより、レセプタクル１ＡのＣＬＫ（＋）端子Ｐ３とＣＬＫ（−）端子Ｐ４との差電圧が第２基準電圧よりも高くなる。一方、送信装置４と受信装置５とが接続されていない場合、レセプタクル１ＡのＣＬＫ（＋）端子Ｐ３、及びＣＬＫ（−）端子Ｐ４は、受信装置５の受信側電源部５３と電気的に非接続状態となる。これにより、レセプタクル１ＡのＣＬＫ（＋）端子Ｐ３とＣＬＫ（−）端子Ｐ４との差電圧が第２基準電圧よりも低くなる。
【００８５】
第２コンパレータ４２１の出力端は、光源部４３の駆動部４３２と電気的に接続されている。第２コンパレータ４２１の出力信号は、駆動部４３２を制御する制御信号として機能する。駆動部４３２は、第２コンパレータ４２１の出力信号の信号レベルがHighレベルである場合、動作可能状態となり、発光部４３１からレーザー光の出力が可能となる。また、駆動部４３２は、第２コンパレータ４２１の出力レベルがLowレベルである場合、動作不可状態となり、発光部４３１を発光させない。
【００８６】
したがって、送信装置４と受信装置５とが接続されている場合、第２コンパレータ４２１（第２出力制御部４２）の出力信号の信号レベルがHighレベルとなり、駆動部４３２が動作可能状態となる。一方、送信装置４と受信装置５とが接続されていない場合、第２コンパレータ４２１（第２出力制御部４２）の出力信号の信号レベルがLowレベルとなり、駆動部４３２が動作不可状態となる。
【００８７】
（２．３）受信装置
図２に示すように、受信装置５は、上述したレセプタクル１（レセプタクル１Ｂ）の他に、受光部５１と、差動信号受信部５２と、受信側電源部５３と、スイッチ制御部５４と、ＨＰＤ制御部５５と、抵抗Ｒ２２，Ｒ２３と、スイッチＱ２１，Ｑ２２と、を備えている。
【００８８】
受光部５１は、例えばフォトダイオードを備えており、送信装置４の光源部４３から出力された光信号（レーザー光）を受光するように構成されている。受光部５１は、受信装置５におけるレセプタクル１Ｂの光接続端子１４と光学的に接続されている。受光部５１は、送信装置４と受信装置５とが接続されている場合に、光接続端子１４を介して光信号（レーザー光）を受信（受光）する。受光部５１は、受信した光信号に応じて、電気的な信号を図示しない信号処理部に出力する。なお、受信装置５は、レセプタクル１Ｂの複数（ここでは４つ）の光接続端子１４と一対一に対応した複数（ここでは４つ）の受光部５１を備えているが、図２では１つの受光部５１のみを図示し、他の受光部５１の記載を省略している。
【００８９】
ＨＰＤ制御部５５（HPD:Hot Plug Detect）は、、受信装置５におけるレセプタクル１Ｂの電源端子Ｐ１とホットプラグ検出端子Ｐ２との間に電気的に接続されている。ＨＰＤ制御部５５は、例えば、抵抗Ｒ２１を有している。抵抗Ｒ２１は、受信装置５におけるレセプタクル１Ｂの電源端子Ｐ１とホットプラグ検出端子Ｐ２との間に電気的に接続されている。送信装置４と受信装置５とが接続されている場合、抵抗Ｒ２１を介して送信装置４におけるレセプタクル１Ａの電源端子Ｐ１とホットプラグ検出端子Ｐ２とが電気的に接続される。
【００９０】
なお、受信装置５において、ＨＰＤ制御部５５は、抵抗Ｒ２１の代わりに電圧出力部を備えていてもよい。この電圧出力部は、レセプタクル１Ｂの電源端子Ｐ１を介して電圧が印加されると、所定電圧をホットプラグ検出端子Ｐ２に出力するように構成されている。つまり、電圧出力部は、ホットプラグ検出端子Ｐ２の電圧レベルをHighにする。また、この電圧出力部は、マイクロコンピュータなどで制御されていることが好ましい。例えば、ＨＰＤ制御部５５が抵抗Ｒ２１を備えている場合、送信装置４と受信装置５との接続と略同時に、送信装置４のホットプラグ検出端子Ｐ２に電圧が印加され、光源部４３が光信号の送信を行う可能性がある。この場合、受信装置５において受光部５１での光信号の受信の準備が完了していない可能性がある。受光部５１での光信号の受信準備が完了していない状態で、送信装置４から光信号の送信が開始されてしまうと、送信装置４と受信装置５との間における通信不良（通信エラー）などが発生する可能性がある。そこで、マイクロコンピュータは、受光部５１での光信号の受信準備の状態を監視する。マイクロコンピュータは、受信装置５におけるレセプタクル１Ｂの電源端子Ｐ１に電圧が印加されている状態であり、かつ、受光部５１での光信号の受信準備が完了している状態である場合、電圧出力部から所定電圧をホットプラグ検出端子Ｐ２に出力させる。これにより、受信装置５における受光部５１での光信号の受信準備が完了した状態で、送信装置４から光信号が送信されるので、送信装置４と受信装置５との間における通信不良（通信エラー）の発生を抑制することができる。上述した通信不良の発生は、受信装置５の立上げ時に発生しやすい。したがって受信装置５の立ち上げと略同時に、伝送ケーブル３の抜き差しをする場合には、マイクロコンピュータの制御による効果が大きいことになる。
【００９１】
抵抗Ｒ２２，Ｒ２３は、送信装置４の差動信号送信部４５におけるオープンコレクタ出力のプルアップ抵抗（終端抵抗）として機能する。受信装置５におけるレセプタクル１ＢのＣＬＫ（＋）端子Ｐ３は、抵抗Ｒ２２及びスイッチＱ２１を介して受信側電源部５３と電気的に接続されている。また、レセプタクル１ＢのＣＬＫ（−）端子Ｐ４は、抵抗Ｒ２３及びスイッチＱ２２を介して受信側電源部５３と電気的に接続されている。受信側電源部５３の出力電圧は、例えば３．３Ｖである。
【００９２】
スイッチＱ２１，Ｑ２２は、例えばｎチャネルＭＯＳＦＥＴで構成されている。スイッチＱ２１，Ｑ２２は、スイッチ制御部５４によってオン／オフが制御される。スイッチ制御部５４は、受信装置５が送信装置４からの電気信号の受信動作を行う場合、スイッチＱ２１，Ｑ２２をオン状態に維持している。つまり、通常時は、スイッチＱ２１，Ｑ２２がオン状態である。したがって、送信装置４と受信装置５とが接続されている場合に、送信装置４における差動信号送信部４５の一対の出力端が、抵抗Ｒ２２，Ｒ２３を介して受信装置５における受信側電源部５３と電気的に接続される。
【００９３】
差動信号受信部５２は、一対の入力端がレセプタクル１ＢのＣＬＫ（＋）端子Ｐ３とＣＬＫ（−）端子Ｐ４とに電気的に接続されている。差動信号受信部５２は、差動信号送信部４５から送信された差動信号（ＴＭＤＳのクロック信号）を受信する。
【００９４】
なお、図示は省略しているが、受信装置５は、ＴＭＤＳのデータ０／１／２のデータ信号に対応した差動信号を受信する複数（ここでは３つ）の差動信号受信部５２を備えている。ＴＭＤＳのクロック信号の信号ラインと同様に、ＴＭＤＳのデータ０／１／２のデータ信号の信号ラインも抵抗を介して受信側電源部５３と電気的に接続されプルアップされている。
【００９５】
（３）動作例
以下に、送信装置４の動作例を説明する。
【００９６】
まず、送信装置４と受信装置５とが未接続である場合について説明する。ここでは、送信装置４のレセプタクル１Ａに伝送ケーブル３のプラグ２が接続されていない場合を想定する。
【００９７】
送信装置４と受信装置５とが未接続状態であるので、送信装置４のレセプタクル１Ａにおいて電源端子Ｐ１とホットプラグ検出端子Ｐ２とが電気的に遮断されている。したがって、レセプタクル１Ａのホットプラグ検出端子Ｐ２の電圧が第１基準電圧よりも低く、第１出力制御部４１（第１コンパレータ４１１）の出力信号の信号レベルがLowレベルである。そのため、スイッチ部４７がオフ状態であり、送信側電源部４６から光源部４３への電力供給が行われない。
【００９８】
また、送信装置４におけるレセプタクル１ＡのＣＬＫ（＋）端子Ｐ３及びＣＬＫ（−）端子Ｐ４と、受信装置５の受信側電源部５３とが電気的に遮断されている。したがって、レセプタクル１ＡのＣＬＫ（＋）端子Ｐ３とＣＬＫ（−）端子Ｐ４との差電圧が第２基準電圧よりも低く、第２出力制御部４２（第２コンパレータ４２１）の出力信号の信号レベルがLowレベルである。そのため、光源部４３の駆動部４３２が動作不可状態となる。
【００９９】
つまり、送信装置４と受信装置５とが未接続状態である場合、送信側電源部４６から光源部４３への電力供給が行われず、かつ駆動部４３２が動作不可状態となる。これにより、発光部４３１が発光しないので、送信装置４から光信号（レーザー光）が出力されない。
【０１００】
次に、送信装置４のレセプタクル１Ａに伝送ケーブル３のプラグ２が接続されている場合について説明する。ここでは、伝送ケーブル３が有する２つのプラグ２のうち、一方のプラグ２が送信装置４のレセプタクル１Ａに接続され、他方のプラグ２が受信装置５のレセプタクル１Ｂに未接続であるとする。つまり、送信装置４と受信装置５とは未接続状態である。
【０１０１】
送信装置４のレセプタクル１Ａに伝送ケーブル３のプラグ２が接続されているものの、送信装置４と受信装置５とは未接続状態である。したがって、上記と同様に、送信電源部から光源部４３への電力供給が行われず、かつ駆動部４３２が動作不可状態となる。
【０１０２】
つまり、送信装置４のレセプタクル１Ａに伝送ケーブル３の一方のプラグ２が接続されていても、他方のプラグ２が受信装置５のレセプタクル１Ｂと未接続である場合、発光部４３１が発光しないので、送信装置４から光信号（レーザー光）が出力しない。したがって、伝送ケーブル３の他方のプラグ２の光接続端子２４から、光信号（レーザー光）が出力されない。
【０１０３】
次に、送信装置４と受信装置５とが未接続状態から、伝送ケーブル３を介して送信装置４と受信装置５とが接続された場合について説明する。
【０１０４】
送信装置４と受信装置５とが接続状態になると、送信装置４においてレセプタクル１Ａの電源端子Ｐ１とホットプラグ検出端子Ｐ２とが受信装置５の抵抗Ｒ２１を介して電気的に接続される。したがって、ホットプラグ検出端子Ｐ２の電圧が第１基準電圧よりも高くなり、第１出力制御部４１（第１コンパレータ４１１）の出力信号の信号レベルがLowレベルからHighレベルに変化する。そのため、スイッチ部４７がオフ状態からオン状態に切り替わり、送信側電源部４６から光源部４３への電力供給が開始される。
【０１０５】
また、同様に、送信装置４と受信装置５とが接続状態になると、送信装置４におけるレセプタクル１ＡのＣＬＫ（＋）端子Ｐ３及びＣＬＫ（−）端子Ｐ４は、それぞれ抵抗Ｒ２２，Ｒ２３を介して受信側電源部５３と接続されて、プルアップされた状態となる。レセプタクル１ＡのＣＬＫ（＋）端子Ｐ３の電圧の電圧値ＶＰ３と、ＣＬＫ（−）端子Ｐ４の電圧の電圧値ＶＰ４とは、受信電源部５３の出力電圧の電圧値ＶＲと略同じとなる。したがって、第２コンパレータ４２１の非反転入力端子の入力電圧の値が電圧値ＶＲとなる。第２コンパレータ４２１の反転入力端子に入力される第２基準電圧の電圧値は、電圧値ＶＲよりも小さい値に設定されている。これにより、レセプタクル１ＡのＣＬＫ（＋）端子Ｐ３とＣＬＫ（−）端子Ｐ４とが同時に受信側電源部５３と接続されると、第２コンパレータ４２１の非反転入力端子の入力電圧が第２基準電圧よりも高くなり、第２出力制御部４２（第２コンパレータ４２１）の出力信号の信号レベルがLowレベルからはHighレベルとなる。そのため、光源部４３の駆動部４３２が動作不可状態から動作可能状態になる。
【０１０６】
また、差動信号送信部４５のクロック回路が動作をしている場合、例えば、ＣＬＫ（＋）端子Ｐ３の電圧レベルがHighレベルＶＨであれば、ＣＬＫ（−）端子Ｐ４の電圧レベルがLowレベルＶＬとなる。そして、ＣＬＫ（＋）端子Ｐ３とＣＬＫ（−）端子Ｐ４との電位差（ＶＨ−ＶＬ）が、抵抗Ｒ１２，Ｒ１３の直列回路の両端間に印加される。本実施形態では、抵抗Ｒ１２の抵抗値と抵抗Ｒ１３の抵抗値とが同じである。したがって、抵抗Ｒ１２と抵抗Ｒ１３との接続点の電圧、つまり第２コンパレータ４２１の非反転入力端子の入力電圧の値が（ＶＨ−ＶＬ）／２となる。
【０１０７】
また、逆に、ＣＬＫ（＋）端子Ｐ３の電圧レベルがLowレベルＶＬであれば、ＣＬＫ（−）端子Ｐ４の電圧レベルがHighレベルＶＨとなる。この場合でも、ＣＬＫ（＋）端子Ｐ３とＣＬＫ（−）端子Ｐ４との電位差がＶＨ−ＶＬとなり、第２コンパレータ４２１の非反転入力端子の入力電圧の値が（ＶＨ−ＶＬ）／２となる。
【０１０８】
本実施形態では、第２基準電圧の値は、（ＶＨ−ＶＬ）／２よりも低い値に設定されている。したがって、差動信号送信部４５のクロック回路が動作している場合、ＣＬＫ（＋）端子Ｐ３及びＣＬＫ（−）端子Ｐ４の電圧レベルに関わらず、第２コンパレータ４２１の反転入力端子の入力電圧が第２基準電圧よりも高くなる。これにより、第２出力制御部４２（第２コンパレータ４２１）の出力信号の信号レベルがLowレベルからHighレベルとなる。そのため、光源部４３の駆動部４３２が動作不可状態から動作可能状態になる。
【０１０９】
つまり、送信装置４と受信装置５とが接続されている状態である場合、送信側電源部４６から光源部４３への電力供給が行われ、かつ駆動部４３２が動作可能状態となる。これにより、発光部４３１が発光して、送信装置４から光信号（レーザー光）の出力が行われる。送信装置４から出力された光信号は、伝送ケーブル３を介して受信装置５に入力される。なお、上述した制御動作は、送信装置４と受信装置５との間における通信不良（通信エラー）の発生を抑制するために、送信装置４及び受信装置５の両方が立ち上がった後に動作を開始するのがより好ましい。
【０１１０】
次に、送信装置４と受信装置５とが接続された状態から、送信装置４又は受信装置５のレセプタクル１から伝送ケーブル３のプラグ２が抜かれた場合について説明する。ここでは、送信装置４のレセプタクル１Ａから伝送ケーブル３のプラグ２が抜かれた場合を想定する。
【０１１１】
送信装置４のレセプタクル１Ａから伝送ケーブル３のプラグ２が抜かれたことによって、送信装置４と受信装置５とが未接続状態になる。したがって、ホットプラグ検出端子Ｐ２の電圧が第１基準電圧よりも低くなり、第１出力制御部４１（第１コンパレータ４１１）の出力信号の信号レベルがHighレベルからLowレベルに変化する。そのため、スイッチ部４７がオン状態からオフ状態に切り替わり、送信側電源部４６から光源部４３への電力供給が停止する。
【０１１２】
また、レセプタクル１ＡのＣＬＫ（＋）端子Ｐ３の電圧、及びＣＬＫ（−）端子Ｐ４の電圧は、差動信号送信部４５の内部でプルダウンされた状態となる。したがって、第２コンパレータ４２１の反転入力端子の入力電圧が第２基準閾値よりも低くなり、第２出力制御部４２（第２コンパレータ４２１）の出力信号の信号レベルがHighレベルからLowレベルに変化する。そのため、光源部４３の駆動部４３２が動作可能状態から動作不可状態になる。
【０１１３】
つまり、送信装置４と受信装置５とが接続されている状態から、未接続状態に変化した場合、送信側電源部４６から光源部４３への電力供給が停止し、かつ駆動部４３２が動作不可状態となる。これにより、発光部４３１の発光が停止し、送信装置４から光信号（レーザー光）が出力されなくなる。
【０１１４】
なお、上記では、送信装置４のレセプタクル１Ａから伝送ケーブル３のプラグ２が抜かれた場合を説明したが、受信装置５のレセプタクル１Ｂから伝送ケーブル３のプラグ２が抜かれた場合も同様である。
【０１１５】
なお、上記では、ＣＬＫ（＋）端子Ｐ３及びＣＬＫ（−）端子Ｐ４の両方が抵抗（抵抗Ｒ１２又は抵抗Ｒ１３）を介して、第２コンパレータ４２１の非反転入力端子に接続されているが、この構成に限らない。ＣＬＫ（＋）端子Ｐ３とＣＬＫ（−）端子Ｐ４との一方が、抵抗を介して第２コンパレータ４２１の非反転入力端子に接続された構成であってもよい。この場合、第２コンパレータ４２１の出力信号は、ＴＭＤＳのクロックに応じてHighレベルとLowレベルとを交互に繰り返すように変化する。そこで、第２コンパレータ４２１の出力端に、例えば、抵抗とコンデンサとを有する積分回路を接続し、第２コンパレータ４２１の出力信号を直流電圧に変換する。これにより、第２コンパレータ４２１の出力信号がHighレベルとLowレベルとで交互に変化する場合であっても、駆動部４３２を動作可能状態にすることができる。また、ここでは、ＴＭＤＳのクロック信号を、駆動部４３２の状態を制御する制御信号として用いているが、ＴＭＤＳのデータ０／１／２信号等の他の信号を用いてもよい。
【０１１６】
このように、本実施形態の送信装置４は、光信号の出力をオン／オフする第１出力制御部４１及び第２出力制御部４２を備えている。第１出力制御部４１、信号線３１を介して伝送される電気信号（ホットプラグ検出端子Ｐ２の電圧）を検知することにより、送信装置４と受信装置５との接続を検知する。第２出力制御部４２は、電気信号（ＣＬＫ（＋）端子Ｐ３とＣＬＫ（−）端子Ｐ４との差電圧）を検知することにより、送信装置４と受信装置５との接続を検知する。つまり、第１出力制御部４１及び第２出力制御部４２は、ＨＤＭＩ（登録商標）規格に準拠した電気信号を用いて送信装置４と受信装置５との接続を検知しているので、接続検知用の電気接続端子をレセプタクル１に新たに設ける必要がない。これは、ＨＤＭＩ（登録商標）以外の規格でも同様であり、送信装置４と受信装置５との接続によって互いを導通させる信号線や制御線を有するケーブルを用いるような規格であればよい。
【０１１７】
本実施形態の送信装置４では、第１出力制御部４１及び第２出力制御部４２が、送信装置４と受信装置５とが接続されている状態であることを検知すると、送信装置４から光信号が出力される。一方、第１出力制御部４１及び第２出力制御部４２が、送信装置４と受信装置５とが未接続状態であることを検知すると、送信装置４からは光信号が出力されない。これにより、送信装置４と受信装置５とが接続されていない場合に、送信装置４の外部への光信号の漏れが抑制される。
【０１１８】
また、送信装置４は、複数（ここでは２つ）の出力制御部（第１出力制御部４１、第２出力制御部４２）を備えている。第１出力制御部４１と第２出力部との両方が、送信装置４と受信装置５とが接続されている状態であることを検知した場合にのみ、送信装置４から光信号が出力される。言い換えれば、第１出力制御部４１と第２出力制御部４２との少なくとも一方が、送信装置４と受信装置５とが未接続状態であることを検知した場合、送信装置４からは光信号が出力されない。これにより、第１出力制御部４１と第２出力制御部４２とのいずれか一方に異常が発生したとしても、送信装置４と受信装置５とが接続されていない場合に、送信装置４からは光信号が出力されない。
【０１１９】
また、第１出力制御部４１及び第２出力制御部４２は、いずれもソフトウェア処理を介さないで光信号の出力のオン／オフを制御するように構成されている。したがって、例えば、送信装置４と受信装置５とが接続されている状態から未接続状態に変化した場合に、光信号の出力を停止させるまでの時間の短縮を図ることができる。また、例えばソフトウェア処理のエラー等によって、送信装置４と受信装置５とが接続されていない場合に送信装置４から光信号が出力される異常状態の発生を抑制することができる。
【０１２０】
（４）変形例
（４．１）第１変形例
図９に、送信装置４の第１変形例の概略図を示す。本変形例の送信装置４は、シャッター４８を更に備えている点が、上記実施形態の送信装置４と相違する。
【０１２１】
シャッター４８は、送信装置４からの光信号の出力のオン／オフを制御するように構成されている。具体的には、シャッター４８は、レセプタクル１Ａの差込口１８を開閉するように構成されている。シャッター４８は、板状に形成されており、外周形状が差込口１８の開口形状と略同じである。シャッター４８は、光源部４３が出力する光信号（レーザー光）に対する遮光性を有している。つまり、シャッター４８は、光信号を機械的に遮断可能に構成されている。
【０１２２】
シャッター４８は、回転軸４８１を中心にして回転することにより、差込口１８を閉じた閉状態と、差込口１８を開いた開状態とに変化するように構成されている。図９では、閉状態であるシャッター４８を実線で記載し、開状態であるシャッター４８を仮想線（二点鎖線）で記載している。シャッター４８は、閉状態の位置から、光接続端子１４側に略９０度回転することによって開状態となる。シャッター４８は、図示しないばねによって、閉状態に位置するように力が加えられている。
【０１２３】
シャッター４８は、レセプタクル１Ａの差込口１８に伝送ケーブル３のプラグ２が差し込まれると、プラグ２によって回転させられ、閉状態の位置から開状態の位置に変位する。また、シャッター４８は、レセプタクル１Ａの差込口１８からプラグ２が抜かれると、ばねによって、開状態の位置から閉状態の位置に変位する。
【０１２４】
つまり、レセプタクル１Ａにプラグ２が接続されている場合、シャッター４８が開状態となり、送信装置４から光信号（レーザー光）を出力することができる。一方、レセプタクル１Ａにプラグ２が接続されていない場合、シャッター４８が閉状態となるので光信号（レーザー光）が出力されない。なお、上述したように、レセプタクル１Ａにプラグ２が接続されている場合であっても、受信装置５のレセプタクル１Ｂにプラグ２が接続されていない場合、第１出力制御部４１及び第２出力制御部４２によって、送信装置４から光信号は出力されない。
【０１２５】
（４．２）その他の変形例
以下に、送信装置４のその他の変形例を列挙する。
【０１２６】
第１出力制御部４１は、ＴＭＤＳのクロック信号に対応したＣＬＫ（＋）端子Ｐ３とＣＬＫ（−）端子Ｐ４との差電圧（電気信号）を検知するように構成されているが、これに限らない。例えば、第１出力制御部４１は、ＴＭＤＳのデータ０／１／２のいずれか差動信号に対応した一対の端子の差電圧を検知するように構成されていてもよい。また、送信装置４は、第１出力制御部４１を複数備えていてもよい。
【０１２７】
送信装置４は、２つの出力制御部（第１出力制御部４１、第２出力制御部４２）を備えているが、いずれか一方の出力制御部のみを備えた構成であってもよいし、３つ以上の出力制御部を備えた構成であってもよい。
【０１２８】
また、光信号の信号媒体はレーザー光に限らず、他の光であってもよい。例えば、光信号の信号媒体は、ＬＥＤ（Light Emitting Diode）が出力する光であってもよい。
【０１２９】
また、電気信号は、ＨＤＭＩ（登録商標）規格に準拠した信号に限らず、例えばＵＳＢ規格に準拠した信号であってもよい。
【０１３０】
また、送信装置４は、その同一筐体内に受信装置を含み、送信と受信との両方の機能を有していてもよい。同様に、受信装置５は、その同一筐体内に送信装置を含み、送信と受信との両方の機能を有していてもよい。
【０１３１】
（まとめ）
第１態様に係る送信装置（４）は、受信装置（５）との間で、信号線（３１）を介した電気信号の伝送と光ファイバ（３２）を介した光信号の伝送とを行う。送信装置（４）は、光源部（４３）と、出力制御部（第１出力制御部４１、第２出力制御部４２）と、を備える。光源部（４３）は、光信号を送信する。出力制御部（４１，４２）は、電気信号を検知し、検知結果に基づいて光信号の出力のオン／オフを制御する。
【０１３２】
この態様によれば、送信装置（４）と受信装置（５）との間で伝送される電気信号に基づいて、送信装置からの光信号の出力のオン／オフが制御される。したがって、送信装置（４）と受信装置（５）との間で電気信号が伝送されていない場合に、光信号の出力をオフすることができる。そのため、送信装置（４）と受信装置（５）とが未接続状態である場合に、送信装置（４）から外部への光信号の漏れを抑制することができる。
【０１３３】
第２態様に係る送信装置（４）では、第１態様において、出力制御部（４１，４２）は、電気信号を検知することにより、送信装置（４）と受信装置（５）との接続を検知する。出力制御部（４１，４２）は、送信装置（４）と受信装置（５）とが未接続状態である場合、光信号の出力をオフする。
【０１３４】
この態様によれば、送信装置（４）と受信装置（５）とが接続されている状態であるか未接続状態であるかを検知することができる。出力制御部（４１，４２）は、送信装置（４）と受信装置（５）とが未接続状態である場合に、光信号の出力をオフする。したがって、送信装置（４）から外部への光信号の漏れを抑制することができる。
【０１３５】
第３態様に係る送信装置（４）では、第１又は第２態様において、出力制御部（４１，４２）は、ソフトウェア処理を介さないで光信号の出力のオン／オフを制御する。
【０１３６】
この態様によれば、光信号の出力をオフする際に、ソフトウェア処理が不要となるので、光信号の出力をオフするまでの時間の短縮を図ることができる。
【０１３７】
第４態様に係る送信装置（４）は、第１〜第３態様のいずれかにおいて、出力制御部（４１，４２）を複数備える。
【０１３８】
この態様によれば、複数の出力制御部（４１，４２）のうち、いずれかに異常が発生した場合でも、光信号の出力をオフすることができるので、送信装置（４）から外部への光信号の漏れを抑制することができる。
【０１３９】
第５態様に係る送信装置（４）では、第４態様において、複数の出力制御部（４１，４２）のうち少なくとも１つの出力制御部（４１）は、光源部（４３）に供給される電力を制御することにより、光信号の出力のオン／オフを制御する。
【０１４０】
この態様によれば、出力制御部（４１）が光信号の出力をオフする際に、光源部（４３）に供給される電力を遮断又は低減させ、光源部（４３）からの光信号の送信を不可状態とすることができる。これにより、送信装置（４）から外部への光信号の漏れを抑制することができる。
【０１４１】
第６態様に係る送信装置（４）では、第４又は第５態様において、複数の出力制御部（４１，４２）のうち少なくとも１つの出力制御部（４２）は、光源部（４３）を制御することにより、光信号の出力のオン／オフを制御する。
【０１４２】
この態様によれば、出力制御部（４２）が光信号の出力をオフする際に、光信号の送信を停止するように光源部（４３）を制御することができる。これにより、送信装置（４）から外部への光信号の漏れを抑制することができる。
【０１４３】
第７態様に係る送信装置（４）では、第１〜第６態様において、電気信号は、ＨＤＭＩ（登録商標）に準拠した信号である。
【０１４４】
この態様によれば、出力制御部（４１，４２）は、ＨＤＭＩ（登録商標）規格に準拠した電気信号に基づいて光信号の出力のオン／オフを制御するので、送信装置（４）に新たな端子を別途設ける必要がない。
【０１４５】
第８態様に係る伝送システム（６）は、第１〜第７態様のいずれかの送信装置（４）と、送信装置（４）と接続される受信装置（５）と、を備える。
【０１４６】
この態様によれば、送信装置（４）と受信装置（５）とが未接続状態である場合に、送信装置（４）から外部への光信号の漏れを抑制することができる。
【０１４７】
第９態様に係る受信装置（５）は、第１〜第７態様のいずれかの送信装置（４）と接続される。
【０１４８】
この態様よれば、送信装置（４）と受信装置（５）とが未接続状態である場合に、送信装置（４）から外部への光信号の漏れを抑制することができる。
【符号の説明】
【０１４９】
３１  信号線
３２  光ファイバ
４  送信装置
４１  第１出力制御部（出力制御部）
４２  第２出力制御部（出力制御部）
４３  光源部
５  受信装置
６  伝送システム
【図１】
2019146135.tif 000003
【図２】
2019146135.tif 000004
【図３】
2019146135.tif 000005
【図４】
2019146135.tif 000006
【図５】
2019146135.tif 000007
【図６】
2019146135.tif 000008
【図７】
2019146135.tif 000009
【図８】
2019146135.tif 000010
【図９】
2019146135.tif 000011